(57)【要約】      （修正有）【課題】支持装置全体の外観に影響を与えることなく、被支持物に対して位置を簡単に設定することができる支持装置を提供する。【解決手段】第１のアームユニット３１と、第１のアームユニット３１の一端に、円弧状に形成されている一対の第１の案内部２１１を有する第１のリンク部と、第１のアームユニット３１の他端に、曲率半径及びラジアンが第１の案内部２１１と同様な円弧状に形成されている一対の第２の案内部２２１を有する第２のリンク部２２と、可撓性を有する材料により作成されて、一対の第１の係合蓋４１１と、一対の第２の係合蓋４２１と、一対の第１の係合蓋４１１及び一対の第２の係合蓋４２１を繋ぐ連接板と、を具えているカバーユニットとを備え、各第１の係合蓋４１１には、第１の係合縁４１２が形成されており、各第２の係合蓋４２１には、第２の係合縁４２２が形成されている。【選択図】図５
0003223541.tif 000002
【実用新案登録請求の範囲】
【請求項１】
所定の長手方向に沿って延伸する第１のアームユニットと、
前記第１のアームユニットの一端に、所定の第１の枢支軸で回動可能に枢支され、且つ、前記長手方向の両側に、前記第１の枢支軸と平行する第１の回動軸を中心として円弧状に形成されている一対の第１の案内部を有する第１のリンク部と、
前記第１のアームユニットの他端に、前記第１の枢支軸と平行する第２の枢支軸で回動可能に枢支され、且つ、前記長手方向の両側に、前記第２の枢支軸と平行する第２の回動軸を中心として、曲率半径及びラジアンが前記第１の案内部と同様な円弧状に形成されている一対の第２の案内部を有する第２のリンク部と、
前記長手方向に沿って延伸し、可撓性を有する材料により作成されて、各前記第１の案内部の両方を回動可能に取り囲むように取り付けられる一対の第１の係合蓋と、各前記第２の案内部の両方を回動可能に取り囲むように取り付けられる一対の第２の係合蓋と、前記一対の第１の係合蓋及び前記一対の第２の係合蓋を繋ぐと共に、前記第１のアームユニットを内側に収容する連接板と、を具えているカバーユニットと、を備え、
各前記第１の係合蓋には、対応する前記第１の案内部と当接するように円弧状に形成されている第１の係合縁が形成されており、
各前記第２の係合蓋には、対応する前記第２の案内部と当接するように円弧状に形成されている第２の係合縁が形成されている
ことを特徴とする支持装置。
【請求項２】
各前記第１の案内部には、前記第１の回動軸を中心として延伸する第１の弧状溝が凹設されており、
各前記第１の係合蓋の前記第１の係合縁には、対応する前記第１の案内部に形成された前記第１の弧状溝に嵌め込まれる第１の案内突起が形成されており、
各前記第２の案内部には、前記第２の回動軸を中心として延伸する第２の弧状溝が凹設されており、
各前記第２の係合蓋の前記第２の係合縁には、対応する前記第２の案内部に形成された前記第２の弧状溝に嵌め込まれる第２の案内突起が形成されている、
ことを特徴とする請求項１に記載の支持装置。
【請求項３】
前記第１の弧状溝は、ラジアンが前記第１の案内部より小であると共に、両端に死点が形成されており、
前記第２の弧状溝は、ラジアンが前記第２の案内部より小であると共に、両端に死点が形成されている
ことを特徴とする請求項２に記載の支持装置。
【請求項４】
各前記第１の案内部及び第２の案内部のラジアンは、０．５πｒａｄ〜πｒａｄの範囲内である
ことを特徴とする請求項３に記載の支持装置。
【請求項５】
前記第１のリンク部の前記第１の案内部には、前記第１の回動軸と平行する方向に沿って前記第１のアームユニットから離れるように突起し、前記第１の案内部と同じ曲率半径を有すると共に、ラジアンが前記第１の案内部より小である第１の円弧突起部が形成されており、
前記第２のリンク部の前記第２の案内部には、前記第２の回動軸と平行する方向に沿って前記第１のアームユニットから離れるように突起し、前記第２の案内部と同じ曲率半径を有すると共に、ラジアンが前記第２の案内部より小である第２の円弧突起部が形成されており、
前記第１の弧状溝は前記第１の円弧突起部に形成され、前記第２の弧状溝は前記第２の円弧突起部に形成されている
ことを特徴とする請求項３に記載の支持装置。
【請求項６】
両端がそれぞれ前記第１のリンク部と前記第２のリンク部とに枢支されている第２のアームユニットを更に備え、
前記第１のリンク部が前記第１のアームユニットと枢支する箇所と、該第１のリンク部が前記第２のアームユニットと枢支する箇所とが異なっており、
そして前記第２のリンク部が前記第１のアームユニットと枢支する箇所と、該第２のリンク部が前記第２のアームユニットと枢支する箇所とが異なっていることにより、
前記第１のリンク部と前記第１のアームユニットと前記第２のリンク部と前記第２のアームユニットとにより４バーリンケージを構成し、
前記第１のリンク部に形成されている前記第１の案内部には、該第１のリンク部が前記第１のアームユニットと枢支する箇所に対応する第１のノッチと、該第１のリンク部が前記第２のアームユニットと枢支する箇所に対応する第１のノッチと、が前記第１の円弧突起部の両側にそれぞれ形成されており、
前記第２のリンク部に形成されている前記第２の案内部には、該第２のリンク部が前記第１のアームユニットと枢支する箇所に対応する第２のノッチと、該第２のリンク部が前記第２のアームユニットと枢支する箇所に対応する第２のノッチと、が前記第２の円弧突起部の両側にそれぞれ形成されている
ことを特徴とする請求項５に記載の支持装置。
【請求項７】
前記カバーユニットは、プラスチックからなっている
ことを特徴とする請求項１に記載の支持装置。
【請求項８】
前記第１の係合蓋は、周縁が前記第１の係合縁と接していると共に、前記第１のリンク部と間をあけて配置されている第１の蓋板を更に有しており、
前記第２の係合蓋は、周縁が前記第２の係合縁と接していると共に、前記第２のリンク部と間をあけて配置されている第２の蓋板を更に有している
ことを特徴とする請求項１に記載の支持装置。
【請求項９】
前記一対の第１の係合蓋の間に、前記連接板の内側と連通して前記第１のリンク部を収容すると共に、外部に開放する第１の開口が形成されており、
前記一対の第２の係合蓋の間に、前記連接板の内側と連通して前記第２のリンク部を収容すると共に、外部に開放する第２の開口が形成されている
ことを特徴とする請求項１に記載の支持装置。
【考案の詳細な説明】
【技術分野】
【０００１】
本考案は支持装置に関し、具体的には、サスペンション機能を具えている支持装置に関する。
【背景技術】
【０００２】
図１及び図２に示されているように、特許文献１に記載された従来の支持装置９は、例えば、モニターなどの重い物品を支持しながら、その位置を調整することができる。
【０００３】
該従来の支持装置９は、長手方向に沿って延伸する第１のアーム９１と、第１のアーム９１と平行となるように配置されている第２のアーム９２と、第１のアーム９１及び第２のアーム９２の一端に枢支するように配置されている第１のリンク部９３と、第１のアーム９１及び第２のアーム９２の他端に枢支するように配置されている第２のリンク部９４と、第１のアーム９１及び第２のアーム９２の間に伸縮可能に配置されていて、サスペンション機能を発揮させることができる気圧伸縮シリンダー９５と、第１のアーム９１及び第２のアーム９２の間にあり、互いに向かい合っていて、気圧伸縮シリンダー９５をカバーするように配置されている外枠９６と、を備えている。
【０００４】
なお、第１のアーム９１と、第２のアーム９２と、第１のリンク部９３と、第２のリンク部９４と、からなる４節リンク機構を利用して、気圧伸縮シリンダー９５と共に、モニターのような重い物品が被支持物として、支持することが可能であり、そして、被支持物に対して位置を簡単に設定することができる。
【先行技術文献】
【特許文献】
【０００５】
【特許文献１】台湾実用新案登録第Ｍ５４８６１９号明細書
【考案の概要】
【考案が解決しようとする課題】
【０００６】
しかしながら、上記のような従来の支持装置は、外枠を用いて気圧伸縮シリンダーをカバーすることができるが、第１のアームと第２のアームと第１のリンク部と第２のリンク部とが、外に露出されていることで、塵や埃が第１のリンク部及び第２のリンク部にかぶって、支持装置が稼動しにくくなってしまう恐れがある。
【０００７】
よって、本考案は上記問題点に鑑みて、上記欠点を解決できる支持装置を提供することを目的とする。
【課題を解決するための手段】
【０００８】
上記目的を達成すべく、本考案は以下の支持装置を提供する。
【０００９】
即ち、所定の長手方向に沿って延伸する第１のアームユニットと、
第１のアームユニットの一端に、所定の第１の枢支軸で回動可能に枢支され、且つ、長手方向の両側に、第１の枢支軸と平行する第１の回動軸を中心として円弧状に形成されている一対の第１の案内部を有する第１のリンク部と、
第１のアームユニットの他端に、第１の枢支軸と平行する第２の枢支軸で回動可能に枢支され、且つ、長手方向の両側に、第２の枢支軸と平行する第２の回動軸を中心として、曲率半径及びラジアンが第１の案内部と同様な円弧状に形成されている一対の第２の案内部を有する第２のリンク部と、
長手方向に沿って延伸し、可撓性を有する材料により作成されて、各第１の案内部を回動可能に取り囲むように取り付けられる一対の第１の係合蓋と、各第２の案内部の両方を回動可能に取り囲むように取り付けられる一対の第２の係合蓋と、一対の第１の係合蓋及び一対の第２の係合蓋を繋ぐと共に、第１のアームユニットを内側に収容する連接板と、を具えているカバーユニットと、を備え、
各第１の係合蓋には、対応する第１の案内部と当接するように円弧状に形成されている第１の係合縁が形成されており、
各第２の係合蓋には、対応する第２の案内部と当接するように円弧状に形成されている第２の係合縁が形成されている支持装置を提供する。
【考案の効果】
【００１０】
上記構成により、本考案に係る支持装置は、可撓性を有する材料により作成されたカバーユニットを用いて、第１のリンク部と、第１のアームユニットと、第２のリンク部と、第２のアームユニットと、をカバーし、且つ、第１のアームユニット及び第２のアームユニットが、第１のリンク部及び第２のリンク部に対して角度を調整する場合、一対の第１の係合蓋が第１のリンク部の第１の案内部の両方を回動可能に取り囲むように取り付けられること及び一対の第２の係合蓋が第２の案内部の両方を回動可能に取り囲むように取り付けられることによって、カバーユニットがその角度に従って、そして位置を変更させることができる。
【００１１】
そのため、たとえ変更できる角度範囲にあるいずれか１つの角度を調整しても、カバーユニットは、第１のリンク部と、第１のアームユニットと、第２のリンク部と、第２のアームユニットと、をカバーしたままであるため、塵や埃がかぶって支持装置が稼動しにくくなることを防止することができる。
【図面の簡単な説明】
【００１２】
【図１】特許文献１に記載された従来の支持装置が示される斜視図である。
【図２】特許文献１に記載された従来の支持装置が示される横断面図である。
【図３】本考案に係る支持装置の実施形態の構成が示される斜視図である。
【図４】該実施形態のカバーユニットが、第１のリンク部と、第１のアームユニットと、第２のリンク部と、第２のアームユニットと、から外されている状態が示される分解斜視図である。
【図５】該実施形態の構成が示される分解斜視図である。
【図６】該実施形態の支持装置に係る第２のリンク部の構成が示される一部拡大横断面図である。
【図７】該実施形態の支持装置の一部拡大縦断面図である。
【図８】該実施形態の支持装置が被支持物を支持することが示される横断面図である。
【考案を実施するための形態】
【００１３】
図３〜図６を参照して本考案の実施形態を説明する。ここで、図３は本考案に係る支持装置１の実施形態の構成が示される斜視図であり、図４は該実施形態のカバーユニット４が、第１のリンク部２１と、第１のアームユニット３１と、第２のリンク部２２と、第２のアームユニット３２と、から外されている状態が示される分解斜視図であり、図５は該実施形態の構成が示される分解斜視図であり、また、図６は該実施形態の支持装置１に係る第２のリンク部２２の構成が示される一部拡大横断面図である。
【００１４】
図３及び図４に示されるように、本考案に係る支持装置１は、第１のアームユニット３１と、第１のリンク部２１と、第２のリンク部２２と、カバーユニット４と、を備えている。
【００１５】
第１のアームユニット３１は、図４に示されるように、長手方向Ｘに沿って延伸している。
【００１６】
第１のリンク部２１は、図４に示されるように、第１のアームユニット３１の一端に、長手方向Ｘと直交する短手方向Ｙに沿って第１のアームユニット３１の一端側に形成された孔に挿入される第１の枢支軸３１１で回動可能に枢支され、且つ、長手方向Ｘの両側に、第１の枢支軸３１１と平行な第１の回動軸Ｌ１を中心として、短手方向Ｙに沿って外側へ円弧状に突起する一対の第１の案内部２１１を有している。
【００１７】
また、各第１の案内部２１１には、図５に示されるように、第１の回動軸Ｌ１を中心として各第１の案内部２１１に沿って該円弧の外側で延伸する第１の弧状溝２１４が凹設されている。
【００１８】
即ち、第１のリンク部２１の第１の案内部２１１には、第１の回動軸Ｌ１と平行な方向に沿って第１のアームユニット３１から離れるように突起し、第１の案内部２１１と同じ曲率半径を有すると共に、ラジアンが第１の案内部２１１より小さい第１の円弧突起部２１３が形成されている。また、第１の弧状溝２１４は、第１の円弧突起部２１３に形成されており、且つ、ラジアンが第１の案内部２１１より小さく、両端に死点が形成されている。
【００１９】
更に、第１のリンク部２１に形成されている第１の案内部２１１には、該第１のリンク部２１が第１のアームユニット３１と枢支する箇所に対応する第１のノッチ２１５ａと、該第１のリンク部２１が第２のアームユニット３２と枢支する箇所に対応する第１のノッチ２１５ｂと、が第１の円弧突起部２１３の両側にそれぞれ形成されている。
【００２０】
第２のリンク部２２は、図５及び図６に示されるように、第１のアームユニット３１の他端に、第１の枢支軸３１１と平行な短手方向Ｙに沿って第１のアームユニット３１の他端側に形成された孔に挿入される第２の枢支軸３１２で回動可能に枢支され、且つ、長手方向Ｘの両側に、第２の枢支軸３１２と平行な第２の回動軸Ｌ２を中心として、曲率半径及びラジアンが第１の案内部２１１と同一の円弧状に形成されている一対の第２の案内部２２１を有している。
【００２１】
また、各第２の案内部２２１には、第２の回動軸Ｌ２を中心として延伸する第２の弧状溝２２４が凹設されている。
【００２２】
即ち、第２のリンク部２２の第２の案内部２２１には、第２の回動軸Ｌ２と平行な方向に沿って第１のアームユニット３１から離れるように突起し、第２の案内部２２１と同じ曲率半径を有すると共に、ラジアンが第２の案内部２２１より小さい第２の円弧突起部２２３が形成されている。また、第２の弧状溝２２４は、第２の円弧突起部２２３に形成されており、且つ、ラジアンが第２の案内部２２１より小さく、且つ両端に死点が形成されている。
【００２３】
更に、第２のリンク部２２に形成されている第２の案内部２２１には、該第２のリンク部２２が第１のアームユニット３１と枢支する箇所に対応する第２のノッチ２２５ａと、該第２のリンク部２２が第２のアームユニット３２と枢支する箇所に対応する第２のノッチ２２５ｂと、が第２の円弧突起部２２３の両側にそれぞれ形成されている。
【００２４】
なお、本実施形態では、第１の案内部２１１及び第２の案内部２２１のラジアンは、０．５πｒａｄ〜πｒａｄの範囲内である。
【００２５】
カバーユニット４は、図５及び図６に示されるように、長手方向Ｘに沿って延伸し、可撓性を有する材料により作成されて、各第１の案内部２１１を短手方向Ｙの外側からそれぞれ挟むように、回動可能に取り付けられる一対の第１の係合蓋４１１と、各第２の案内部２２１を短手方向Ｙの外側からそれぞれ挟むように回動可能に取り付けられる一対の第２の係合蓋４２１と、一対の第１の係合蓋４１１及び一対の第２の係合蓋４２１を繋ぐように長手方向Ｘへ延伸すると共に、第１のアームユニット３１を内側に収容する連接板４３と、を具えている。
【００２６】
また、各第１の係合蓋４１１には、対応する第１の案内部２１１と当接するように円弧状の第１の係合縁４１２が互いに向かい合うように短手方向Ｙに沿って内側へ突起する。同じく、各第２の係合蓋４２１には、対応する第２の案内部２２１と当接するように円弧状の第２の係合縁４２２が形成されている。
【００２７】
また、各第１の係合蓋４１１の第１の係合縁４１２には、対応する第１の案内部２１１に形成された第１の弧状溝２１４に嵌め込まれる第１の案内突起４１３が形成されている。同じく、各第２の係合蓋４２１の第２の係合縁４２２には、対応する第２の案内部２２１に形成された第２の弧状溝２２４に嵌め込まれる第２の案内突起４２３が形成されている。
【００２８】
また、一対の第１の係合蓋４１１の間に、連接板４３の内側と連通して第１のリンク部２１を収容すると共に、長手方向Ｘ及び短手方向Ｙのいずれにも直交する高さ方向Ｚの下側が外部に開放する第１の開口４１５が形成されている。同じく、一対の第２の係合蓋４２１の間に、連接板４３の内側と連通して第２のリンク部２２を収容すると共に、外部に開放する第２の開口４２５が形成されている。
【００２９】
図７及び図８を参照する。ここで、図７は該実施形態の支持装置１の一部拡大縦断面図であり、また、図８は該実施形態の支持装置１が被支持物６を支持することが示される横断面図である。
【００３０】
図７に示されるように、第１の係合蓋４１１は、周縁が第１の係合縁４１２と接していると共に、第１のリンク部２１と短手方向Ｙに間をあけて配置されている第１の蓋板４１４を更に有しており、同じく、第２の係合蓋４２１は、周縁が第２の係合縁４２２と接していると共に、第２のリンク部２２と短手方向Ｙに間をあけて配置されている第２の蓋板４２４を更に有している。
【００３１】
なお、本実施形態では、カバーユニット４は、可撓性を有するプラスチックからなっている。勿論、ここでプラスチックに限定されず、例えば、曲げることができる金属から作成されても良い。
【００３２】
本考案に係る支持装置１は、両端がそれぞれ第１のリンク部２１と第２のリンク部２２とに枢支されている第２のアームユニット３２を更に備えている。
【００３３】
第１のリンク部２１が第１のアームユニット３１と枢支する箇所と、該第１のリンク部２１が第２のアームユニット３２と枢支する箇所とが異なっており、そして、第２のリンク部２２が第１のアームユニット３１と枢支する箇所と、該第２のリンク部２２が第２のアームユニット３２と枢支する箇所とが異なっている。
【００３４】
即ち、第１のアームユニット３１及び第２のアームユニット３２は、高さ方向Ｚにずれていて、それぞれの両端が第１のリンク部２１及び第２のリンク部２２と枢支され、且つ、長手方向Ｘに沿って互いに平行となっている。
【００３５】
また、第２のアームユニット３２の一端は、第１のリンク部２１に短手方向Ｙに沿って第２のアームユニット３２の一端側に形成された孔に挿入される第３の枢支軸３２１で回動可能に枢支されており、同じく、第２のアームユニット３２の他端は、第２のリンク部２２に短手方向Ｙに沿って第２のアームユニット３２の他端側に形成された孔に挿入される第４の枢支軸３２２で回動可能に枢支されている。
【００３６】
そのため、第１のリンク部２１と、第１のアームユニット３１と、第２のリンク部２２と、第２のアームユニット３２と、により4バーリンケージが構成されている。
【００３７】
本考案に係る支持装置１は、図５及び図８に示されるように、長手方向Ｘに沿って延伸されている伸縮可能な油圧伸縮シリンダー５を更に備えている。
【００３８】
油圧伸縮シリンダー５は、第１のアームユニット３１と第２のアームユニット３２との間に配置されていて、両端がそれぞれ第１のリンク部２１及び第２のリンク部２２を枢支するように取り付けられると共に、油圧によって、支持装置１のサスペンション機能を発揮させることができる。
【００３９】
そして、図８に示されるように、油圧伸縮シリンダー５を用いて被支持物６の重量に耐えることができ、被支持物６を支持しながら、位置を調整することができる。
【００４０】
本実施形態では、支持装置１のカバーユニット４は、第１のリンク部２１及び第２のリンク部２２を短手方向Ｙの外側からそれぞれ挟むように取り付けられる際に、第１の開口４１５及び第２の開口４２５が、カバーユニット４の可撓性を利用し、少し押し広げるようにして、第１の案内突起４１３が第１の弧状溝２１４に回動可能に嵌め込まれ、同じく、第２の案内突起４２３が第２の弧状溝２２４に回動可能に嵌め込まれている。そして、カバーユニット４の取り付けが完了する。
【００４１】
よって、第１のリンク部２１と、第１のアームユニット３１と、第２のリンク部２２と、第２のアームユニット３２と、からなる4バーリンケージにおける枢支された部分をカバーユニット４によって隠すことができる。
【００４２】
上記実施形態によれば、本考案の支持装置１は、以下の利点を有する。
【００４３】
第１に、本考案に係る支持装置１のカバーユニット４は、可撓性を有するため、第１のアームユニット３１と、第２のアームユニット３２と、第１のリンク部２１と、第２のリンク部２２と、を間に挟むように簡単に取り付けることができ、支持装置１の構造を簡略化させることができる。
【００４４】
第２に、本考案に係る支持装置１のカバーユニット４は、一対の第１の係合蓋４１１が第１のリンク部２１の第１の案内部２１１の両方を短手方向Ｙの外側からそれぞれ挟むように回動可能に取り囲むように取り付けられ、且つ一対の第２の係合蓋４２１が第２の案内部２２１の両方を短手方向Ｙの外側から回動可能に取り囲むように取り付けられることによって、第１のアームユニット３１及び第２のアームユニット３２が、第１のリンク部２１及び第２のリンク部２２に対して角度を調整する場合、第１のリンク部２１と、第１のアームユニット３１と、第２のリンク部２２と、第２のアームユニット３２と、をカバーしたままにその角度に従って、被支持物６の位置を上方または下方に変更させることができる。
【００４５】
第３に、第１のリンク部２１と第１のアームユニット３１と第２のリンク部２２と第２のアームユニット３２とには、互いに枢支された部分がカバーユニット４によりカバーされていることで、塵や埃が枢支された部分にかぶってしまい、支持装置１が稼動しにくくなることを防止することができる。特に、埃がかぶりやすい上面と側面をカバーしているので、支持装置１に埃がかぶりにくい。
【００４６】
第４に、本考案に係る支持装置１は、カバーユニット４によって、第１のアームユニット３１等が外に直接露出されないように覆われているので、従来の支持装置より支持装置１の外観を美化させることができる。
【００４７】
上記実施形態のように、本考案は、その要旨を逸脱しない範囲で種々の変更が可能である。
【産業上の利用可能性】
【００４８】
本考案は、上記のように記載された支持装置は、可撓性を有するカバーユニットによって、第１のリンク部と、第１のアームユニットと、第２のリンク部と、第２のアームユニットと、を露出しないようにしていて、第１のアームユニット及び第２のアームユニットが、第１のリンク部及び第２のリンク部に対して角度を調整すると、たとえ変更できる角度範囲にあるいずれか１つの角度を調整しても、カバーユニットは、互いに枢支された第１のリンク部と、第１のアームユニットと、第２のリンク部と、第２のアームユニットと、をカバーしたままであるため、塵や埃が枢支された部分にかぶってしまい、支持装置が稼動しにくくなることを防止することができる。そのため、産業上の利用可能性がある。
【符号の説明】
【００４９】
９  従来の支持装置
９１  第１のアーム
９２  第２のアーム
９３  第１のリンク部
９４  第２のリンク部
９５  気圧伸縮シリンダー
９６  外枠
１  支持装置
２１  第１のリンク部
２１１  第１の案内部
２１３  第１の円弧突起部
２１４  第１の弧状溝
２１５ａ  第１のノッチ
２１５ｂ  第１のノッチ
２２  第２のリンク部
２２１  第２の案内部
２２３  第２の円弧突起部
２２４  第２の弧状溝
２２５ａ  第２のノッチ
２２５ｂ  第２のノッチ
３１  第１のアームユニット
３１１  第１の枢支軸
３１２  第２の枢支軸
３２  第２のアームユニット
３２１  第３の枢支軸
３２２  第４の枢支軸
４  カバーユニット
４１１  第１の係合蓋
４１２  第１の係合縁
４１３  第１の案内突起
４１４  第１の蓋板
４１５  第１の開口
４２１  第２の係合蓋
４２２  第２の係合縁
４２３  第２の案内突起
４２４  第２の蓋板
４２５  第２の開口
４３  連接板
５  油圧伸縮シリンダー
６  被支持物
Ｘ  長手方向
Ｙ  短手方向
Ｚ  高さ方向
L１  第１の回動軸
Ｌ２  第２の回動軸
【図１】
0003223541.tif 000003
【図２】
0003223541.tif 000004
【図３】
0003223541.tif 000005
【図４】
0003223541.tif 000006
【図５】
0003223541.tif 000007
【図６】
0003223541.tif 000008
【図７】
0003223541.tif 000009
【図８】
0003223541.tif 000010